(57)【要約】      （修正有）【課題】スプレー缶を用いるので、構造が容易で安価であり、さらに、発泡樹脂材の容量以上に大きく発泡して発泡樹脂になるため、容量が大きな救命具であっても、小さなスプレー缶で容易に所望の大きさに膨張させることができる膨張型救命具を提供する。【解決手段】内部に複数の発泡樹脂材を混合することにより発泡生成される発泡樹脂を充填することによって膨張する充填袋体と、スプレー缶２０に充填された発泡樹脂を発泡生成させるための第１の発泡樹脂材と、スプレー缶３０に充填された発泡樹脂を発泡生成させるための第２の発泡樹脂材と、第１の発泡樹脂材と第２の発泡樹脂材とを混合させる混合弁４６とを有し、第１の発泡樹脂材と第２の発泡樹脂材とを、混合弁で混合された発泡樹脂材が、充填袋体の中で発泡生成されて発泡樹脂になることにより、充填袋体が浮力を有するように膨張することを特徴とする。【選択図】図１
2016159716.tif 000002
【特許請求の範囲】
【請求項１】
水上に浮かぶ膨張型救命具において、
内部に複数の発泡樹脂材を混合することにより発泡生成される発泡樹脂を充填することによって膨張する充填袋体と、
スプレー缶に充填された該発泡樹脂を発泡生成させるための第１の発泡樹脂材と、
スプレー缶に充填された該発泡樹脂を発泡生成させるための第２の発泡樹脂材と、
該第１の発泡樹脂材のスプレー缶の噴出口と該第２の発泡樹脂材のスプレー缶の噴出口とに連通し、該第１の発泡樹脂材と該第２の発泡樹脂材とを混合させる混合弁と、
該混合弁で混合された該発泡樹脂材を、該充填袋体に充填させる流路とを有し、
該第１の発泡樹脂材と該第２の発泡樹脂材とを、それぞれの該スプレー缶から噴出させ、該混合弁で混合された該発泡樹脂材が、該充填袋体の中で発泡生成されて発泡樹脂になることにより、該充填袋体が浮力を有するように膨張することを特徴とする膨張型救命具。
【請求項２】
前記混合弁が、三方混合弁であることを特徴とする請求項１記載の膨張型救命具。
【請求項３】
前記第１の発泡樹脂材のスプレー缶と前記第２の発泡樹脂材のスプレー缶との両方から同時に前記発泡樹脂材を噴出させるための握持手段を備えることを特徴とする請求項１又は請求項２記載の膨張型救命具。
【請求項４】
水上に浮かぶ膨張型の救命具の膨張方法において、
内部に複数の発泡樹脂材を混合することにより発泡生成される発泡樹脂を充填することによって膨張する充填袋体に、スプレー缶に充填された該発泡樹脂を発泡生成させるための第１の発泡樹脂材と、スプレー缶に充填された該発泡樹脂を発泡生成させるための第２の発泡樹脂材とを、それぞれの該スプレー缶から噴出させ、混合弁で混合された該発泡樹脂材を充填させ、
該充填袋体の中で発泡生成されて発泡樹脂になることにより、該充填袋体が浮力を有するように膨張することを特徴とする救命具の膨張方法。
【発明の詳細な説明】
【技術分野】
【０００１】
本発明は、海難事故や津波が発生した場合に用いる救命具であって、特に膨張型救命具及び救命具の膨張方法に関する。
【背景技術】
【０００２】
従来より、海難事故や津波が発生した場合に着用する救命具としての救命胴衣等が提案されている。例えば、救命胴衣は、使用時に救命胴衣の内部に気体を送り込んで風船状に膨らませて浮力を得る膨張型のものや、あらかじめ発泡凝固した発泡樹脂を備えたものがある。
【０００３】
具体的には、例えば、膨張型の救命胴衣としては、特許文献１に示されているよな救命用ベストがある。この救命用ベストは、チューブ構造の伸縮性素材でガス充填室を有した救命ベストで、ガス充填室と胸ポケットを介して支持したガスボンベの注気弁とを連通させ、船舶遭難時の乗員、乗客の飛び込み時の衝撃により注気弁を自動的に抜栓してガス充填室を瞬間的に膨張させる構造を有している。
【先行技術文献】
【特許文献】
【０００４】
【特許文献１】実公平０５−２８１５８号公報
【発明の概要】
【発明が解決しようとする課題】
【０００５】
しかしながら、従来の救命具では、ガス充填を行うことから、何らかの理由で浮遊中に救命胴衣のガス充填室が破損すると、ガスが外部に抜け出て、救命機能を果たさなくなってしまう可能性がある。また、ガスボンベは、スプレー缶に比べ構造が複雑で、高価な仕組みを用いており、コストを抑えることが困難である。さらに、救命浮器、救命いかだのような大きな容量の場合、大きなガスボンベが必要となってしまう。
【０００６】
本発明は、このような事情に鑑みてなされたもので、発泡した発泡樹脂は充填袋体が破損しても浮力を維持でき、また、スプレー缶を用いるので、構造が用意で安価であり、さらに、発泡樹脂材の容量以上に大きく発泡して発泡樹脂になるため、容量が大きな救命具であっても、小さなスプレー缶で容易に所望の大きさに膨張させることができる膨張型救命具及び救命具の膨張方法を提供することにある。
【課題を解決するための手段】
【０００７】
請求項１記載の膨張型救命具は、内部に複数の発泡樹脂材を混合することにより発泡生成される発泡樹脂を充填することによって膨張する充填袋体と、スプレー缶に充填された発泡樹脂を発泡生成させるための第１の発泡樹脂材と、スプレー缶に充填された発泡樹脂を発泡生成させるための第２の発泡樹脂材と、第１の発泡樹脂材のスプレー缶の噴出口と第２の発泡樹脂材のスプレー缶の噴出口とに連通し、第１の発泡樹脂材と第２の発泡樹脂材とを混合させる混合弁と、混合弁で混合された発泡樹脂材を、充填袋体に充填させる流路とを有し、第１の発泡樹脂材と第２の発泡樹脂材とを、それぞれのスプレー缶から噴出させ、混合弁で混合された発泡樹脂材が、充填袋体の中で発泡生成されて発泡樹脂になることにより、充填袋体が浮力を有するように膨張することを特徴とする。
【０００８】
請求項２記載の膨張型救命具は、混合弁が、三方混合弁であることを特徴とする。
【０００９】
請求項３記載の膨張型救命具は、第１の発泡樹脂材のスプレー缶と第２の発泡樹脂材のスプレー缶との両方から同時に発泡樹脂材を噴出させるための握持手段を備えることを特徴とする。
【００１０】
請求項４記載の救命具の膨張方法は、内部に複数の発泡樹脂材を混合することにより発泡生成される発泡樹脂を充填することによって膨張する充填袋体に、スプレー缶に充填された発泡樹脂を発泡生成させるための第１の発泡樹脂材と、スプレー缶に充填された発泡樹脂を発泡生成させるための第２の発泡樹脂材とを、それぞれのスプレー缶から噴出させ、混合弁で混合された発泡樹脂材を充填させ、充填袋体の中で発泡生成されて発泡樹脂になることにより、充填袋体が浮力を有するように膨張することを特徴とする。
【発明の効果】
【００１１】
本願の発明によれば、発泡した発泡樹脂は充填袋体が破損しても浮力を維持でき、また、スプレー缶を用いるので、構造が用意で安価であり、さらに、発泡樹脂材の容量以上に大きく発泡して発泡樹脂になるため、容量が大きな救命具であっても小さなスプレー缶で容易に所望の大きさに膨張させることができる。
【図面の簡単な説明】
【００１２】
【図１】本発明に係る膨張型救命具の一例を示す説明図である。
【図２】同膨張型救命具の使用状態を示す説明図である。
【発明を実施するための形態】
【００１３】
以下、本発明の形態について図面を参照しながら具体的に説明する。図１は、本発明に係る膨張型救命具の一例を示す説明図である。図２は、同膨張型救命具の使用状態を示す説明図である。
【００１４】
本発明に係る膨張型救命具１は、海難事故や津波が発生した場合に着用する救命具としての救命胴衣であり、着用者を水上に浮かせ、頭部を水面上に位置させるためのものである。尚、本実施の形態では、膨張救命具の一例として救命胴衣を用いて説明するが、膨張救命具としては、救命胴衣だけではなく、例えば、救命浮輪、救命浮器、救命いかだ等も該当し、海難事故や津波が発生した場合に、救命手段として水に浮かせることを想定しているものが広く該当する。
【００１５】
膨張型救命具１は、救命胴衣本体１０、発泡樹脂材スプレー缶２０，３０、三方混合弁４６等から構成されている。救命胴衣本体１０は、内部に複数の発泡樹脂材を混合することにより発泡生成される発泡樹脂を充填することによって膨張する充填袋体となっており、その充填袋体の発泡樹脂の入口が、注入口１２である。
【００１６】
発泡樹脂材スプレー缶２０，３０は、発泡樹脂を発泡生成させるための第１の発泡樹脂材と、発泡樹脂を発泡生成させるための第２の発泡樹脂材がそれぞれ充填されたスプレー缶である。それぞれの発泡樹脂材スプレー缶２０，３０の発泡樹脂材を混合させることにより、発泡樹脂となる。発泡樹脂材スプレー缶２０，３０のそれぞれの内容物である発泡樹脂材は、例えば、主材としては、ポリイソシアネートとポリオールである。尚、２つの発泡樹脂材に限られるものではなく、３つ以上でもよく、複数の発泡樹脂材が混合することにより発泡生成されて発泡樹脂になるものであればよい。但し、生成される発泡樹脂は、救命具として十分な浮力を有するものでなければならない。また、充填袋体である膨張型救命具１の中に至ってから発泡固化する程度の発泡固化のスピードであることが求められる。
【００１７】
発泡樹脂材スプレー缶２０，３０のそれぞれの噴出口を形成するアクチュエータ２２，３２には、チューブ状の流路２４，３４が接続され、それぞれの他端が、三方混合弁４６に接続されている。２本の発泡樹脂材スプレー缶２０，３０は、隣り合わせで起立され、その上方に、握持手段４０が設けられている。握持手段４０は、発泡樹脂材スプレー缶２０，３０の両方から同時に発泡樹脂材を噴出させるためのもので、発泡樹脂材スプレー缶２０，３０の両方のアクチュエータ２２，３２の上方に同時に当接する加圧部４４が設けられ、加圧部４４を上から押し込む押下部４２が設けられている。
【００１８】
三方混合弁４６は、流路２４と流路３４とから流入する発泡樹脂材を、混合する混合弁で、三方混合弁４６からは、チューブ状の流路４８が、救命胴衣本体１０の注入口１２に連結されている。
【００１９】
次に、本実施の形態に係る膨張型救命具１の使用方法を説明する。上述のように、救命胴衣本体１０と、三方混合弁４６と、発泡樹脂材スプレー缶２０，３０とが、流路２４，３４，４８で連通された状態で、握持手段４０の押下部４２を、押すようにする。すると、握持手段４０の加圧部４４が、発泡樹脂材スプレー缶２０，３０の両方のアクチュエータ２２，３２が同時に押圧され、それぞれのアクチュエータ２２，３２から、発泡樹脂材が噴出する。
【００２０】
発泡樹脂材スプレー缶２０，３０から噴出された発泡樹脂材は、それぞれ流路２４，３４を通って三方混合弁４６に至り、三方混合弁４６で混合される。そして、三方混合弁４６で混合された発泡樹脂材は、流路４８を通って、注入口１２から充填袋体である救命胴衣本体１０に充填される。最終的に、混合された発泡樹脂材が、充填袋体の中で発泡生成されて発泡樹脂になることにより、充填袋体である救命胴衣本体１０が浮力を有するように膨張することになる（図１の膨張していな状態から図２の膨張した状態になる）。その後、流路４８を、注入口１２から抜き取るようにすればよい。
【００２１】
以上のような本実施の形態の膨張型救命具１によれば、発泡した発泡樹脂は充填袋体が破損しても浮力を維持でき、より確実な救命に寄与する。また、スプレー缶を用いるので、ガスボンベに比べ、構造が用意で安価である。発泡樹脂材スプレー缶２０，３０の発泡樹脂材の容量以上の大きさに発泡することから、容量の大きな膨張型救命具（例えば、救命浮器、救命いかだ等）であっても、比較的小さなスプレー缶を用いても容易に所望の大きさに膨張させることができる。
【００２２】
また、混合弁に三方混合弁４６を用いることで、より簡易的な構造で、発泡樹脂材を混合することができる。また、それぞれの発泡樹脂材スプレー缶２０，３０のアクチュエータ２２，３２をそれぞれに操作して発泡樹脂材を噴出させることも可能であるが、握持手段４０を用いて、同時に噴出させることで、操作が容易になる。
【産業上の利用可能性】
【００２３】
以上のように、本発明によれば、発泡した発泡樹脂は充填袋体が破損しても浮力を維持でき、また、スプレー缶を用いるので、構造が用意で安価であり、さらに、発泡樹脂材の容量以上に大きく発泡して発泡樹脂になるため、容量が大きな救命具であっても、小さなスプレー缶で容易に所望の大きさに膨張させることができる膨張型救命具及び救命具の膨張方法を提供することができる。
【符号の説明】
【００２４】
１・・・・膨張型救命具
１０・・・救命胴衣本体
１２・・・注入口
２０・・・発泡樹脂材スプレー缶
２２・・・アクチュエータ
２４・・・流路
３０・・・発泡樹脂材スプレー缶
３２・・・アクチュエータ
３４・・・流路
４０・・・握持手段
４２・・・押下部
４４・・・加圧部
４６・・・三方混合弁
４８・・・流路
【図１】
2016159716.tif 000003
【図２】
2016159716.tif 000004